(57)【要約】  【課題】  本発明では、形態の変更の際に煩わしさを伴わず、複雑な構成を採ることなしに、収納に適した形態など様々な形態に変更できるリクライニング式座椅子の提供を目的とする。  【解決手段】  身体における所定の各部位を支持可能な第１支持部１８、第２支持部１７、第３支持部１６、第４支持部１５、及び、第５支持部１４を、屈曲可能な屈曲部２６、２７、２８、２９を介して長手方向において順に連設して一体に構成したリクライニング式座椅子１１，３１，４１であって、上記第３支持部１６、第４支持部１５、及び、第５支持部１４のそれぞれを、折り畳んだとき、側面視略「コ」の字形を構成する長さ配分で構成し、上記「コ」の字形に折り畳んだときに対向する上記第３支持部１６と第５支持部１４との間に有する空間部に上記第１支持部１８が収納可能な長さ配分に上記第１支持部１８、及び、上記第２支持部１７のそれぞれを構成したリクライニング式座椅子１１，３１，４１。  【選択図】    図１
2006340876.tif 000002
【特許請求の範囲】
【請求項１】
身体における所定の各部位を支持可能な第１支持部、第２支持部、第３支持部、第４支持部、及び、第５支持部を、屈曲可能な屈曲部を介して長手方向において順に連設して一体に構成したリクライニング式座椅子であって、
上記第３支持部、第４支持部、及び、第５支持部のそれぞれを、折り畳んだとき、側面視略「コ」の字形を構成する長さ配分で構成し、
上記「コ」の字形に折り畳んだときに対向する上記第３支持部と第５支持部との間に有する空間部に上記第１支持部が収納可能な長さ配分に上記第１支持部、及び、上記第２支持部のそれぞれを構成した
リクライニング式座椅子。
【請求項２】
前記第１支持部、前記第３支持部、及び、前記第５支持部を略同一長さに構成し、
前記第２支持部を前記第４支持部に対して略半分の長さに構成した
請求項１に記載のリクライニング式座椅子。
【請求項３】
前記第１支持部、前記第２支持部、前記第３支持部、前記第４支持部、前記第５支持部を、それぞれ順に膝下部を支持する膝下支持部、膝上部を支持する膝上支持部、臀部を支持する臀部支持部、腰部を支持する腰支持部、少なくとも頭部を支持する頭支持部に設定し、
前記膝上支持部と前記膝下支持部との間における前記屈曲部を、屈曲自在な屈曲自在部により構成し、
前記屈曲部における、上記屈曲自在部以外の他の屈曲部を、任意の角度に調節可能に屈曲する角度調節部により構成した
請求項１、又は、請求項２に記載のリクライニング式座椅子。
【請求項４】
前記膝上支持部と前記膝下支持部とを連設する前記屈曲部、或いは、その近傍に、マッサージ部材、又は／及び、ヒータを具備した
請求項３に記載のリクライニング式座椅子。
【請求項５】
前記上半身支持部における前記頭支持部、或いはその近傍部位に、枕部材を、屈曲自在な屈曲自在部を介して連設した
請求項３、又は、請求項４に記載のリクライニング式座椅子。
【発明の詳細な説明】
【技術分野】
【０００１】
この発明は、下半身支持部（座部）に対して上半身支持部（背凭れ部）が起伏可能なリクライニング式の座椅子に関し、さらに詳しくは、下半身支持部や上半身支持部における所定部位を屈曲して、様々な用途に対応した形態に変更することのできるリクライニング式座椅子に関する。
【背景技術】
【０００２】
上述したようなリクライニング式座椅子の一例として、下記特許文献１において安楽いすが開示されている。  
上記安楽いすは、脚部位置、腰部位置、及び、頭部位置にラッチェット機構を内蔵している（特許文献１中の「フレーム位置を示す参考正面図」参照）。このため、上記安楽いすは、脚部位置、腰部位置、及び、頭部位置の３ヶ所において折り曲げ可能に構成している（特許文献１中の「意匠に係る物品の説明」参照）。
【０００３】
しかし、上記安楽いすは、折り畳んだ形態が特許文献１中に開示されていないことからわかるように、コンパクトな形態に変更できないという難点を有する。
【０００４】
その他にも、図１１（ａ），（ｂ）に示したような公知のリクライニング式座椅子１００が存在する。  
上記リクライニング式座椅子１００は、身体における所定の各部位を支持する５つの支持部１０１ａ，１０１ｂ，１０１ｃ，１０１ｄ，１０１ｅを、ラッチェット式回動部材１０２…を介して連設している。
【０００５】
上記リクライニング式座椅子１００は、長手方向における各部位を折畳み可能に構成して折り畳んでいるため、コンパクトに折り畳むことができる。  
しかし、上記リクライニング式座椅子１００は、折り畳んだとき、図１１（ｂ）のような形態となる。すなわち、上記リクライニング式座椅子１００は、折り畳んだとき、構造上、中央部に空間部Ａが存在してしまうことになるため、全体をコンパクトに折り畳むことができないという難点を有する。
【０００６】
【特許文献１】意匠登録第１０２１３３１号公報
【発明の開示】
【発明が解決しようとする課題】
【０００７】
そこで本発明では、収納に適したコンパクトな形態に変更できるリクライニング式座椅子の提供を目的とする。
【課題を解決するための手段】
【０００８】
本発明のリクライニング式座椅子は、身体における所定の各部位を支持可能な第１支持部、第２支持部、第３支持部、第４支持部、及び、第５支持部を、屈曲可能な屈曲部を介して長手方向において順に連設して一体に構成したリクライニング式座椅子であって、上記第３支持部、第４支持部、及び、第５支持部のそれぞれを、折り畳んだとき、側面視略「コ」の字形を構成する長さ配分で構成し、上記「コ」の字形に折り畳んだときに対向する上記第３支持部と第５支持部との間に有する空間部に上記第１支持部が収納可能な長さ配分に上記第１支持部、及び、上記第２支持部のそれぞれを構成したことを特徴とする。
【０００９】
上記リクライニング式座椅子は、上記第１支持部、上記第３支持部、及び、上記第５支持部を略同一長さに構成し、上記第２支持部を上記第４支持部に対して略半分の長さに構成することが好ましい。
【００１０】
また、上記リクライニング式座椅子は、上記第１支持部、上記第２支持部、上記第３支持部、上記第４支持部、上記第５支持部を、それぞれ順に膝下部を支持する膝下支持部、膝上部を支持する膝上支持部、臀部を支持する臀部支持部、腰部を支持する腰支持部、少なくとも頭部を支持する頭支持部に設定し、上記膝上支持部と上記膝下支持部との間における上記屈曲部を、屈曲自在な屈曲自在部により構成し、上記屈曲部における、上記屈曲自在部以外の他の屈曲部を、任意の角度に調節可能に屈曲する角度調節部により構成したことを特徴とする。
【００１１】
上記屈曲自在部は、屈曲自在な部位であり、例えば、ヒンジ、ゴム、柔軟性部材により連結された部位を示す。
【００１２】
さらに、上記リクライニング式座椅子は、上記膝上支持部と上記膝下支持部とを連設する上記屈曲部、或いは、その近傍に、マッサージ部材、又は／及び、ヒータを具備することが好ましい。
【００１３】
加えて、リクライニング式座椅子は、上記上半身支持部における上記頭支持部、或いはその近傍部位に、枕部材を、屈曲自在な屈曲自在部を介して連設することが好ましい。
【発明の効果】
【００１４】
請求項１に係る発明によれば、上記各支持部を上述した長さ配分で構成することにより、全体を側面視略「の」の字形に折り畳むことができる。このため、内部に不要な空間が構成されることがなくコンパクトに折り畳むことができる。  
従って、本発明に係るリクライニング式座椅子は、収納時に場所をとらず、持ち運びが容易な形態にすることができる。
【００１５】
請求項２に係る発明によれば、上記各支持部どうしを近接させることができるため、さらに、コンパクトに折り畳むことができる。  
従って、本発明に係るリクライニング式座椅子は、全体を見栄えのよい安定した形態に折り畳むことができる。
【００１６】
請求項３に係る発明によれば、上記膝下支持部と上記膝上支持部との間に上記屈曲自在部を介して構成することにより、上記膝上支持部に対する上記膝下支持部の回動範囲を９０度以上に確保することができる。  
従って、本発明に係るリクライニング式座椅子は、収納型形態においては、上記臀部支持部と頭支持部との間に上記膝下支持部を収納させることができるとともに、マットレス型の形態においては、上記膝下支持部を上述とは逆方向に屈曲させて、使用者が前ズレしないよう上記膝下支持部と上記膝上支持部でへの字形を構成することができる。
【００１７】
その他にも、全ての屈曲部をラチェット式機構付き回転部により構成しないことにより、全体として簡素な構成にでき、軽量化、製造コストの削減を図ることができるとともに、他の形態へ容易に変更することができる。
【００１８】
さらに、リクライニング式座椅子を例えば、収納型形態にしたとき、すなわち、臀部支持部と頭支持部との間に膝下支持部が収納した形態にしたとき、膝下支持部が不用意に揺動しないよう角度調節された頭支持部によって規制することができる。
【００１９】
加えて、マットレス型の形態において、への字の屈曲する角度を変更する際においても、使用者は、リクライニング式座椅子に載上した状態のまま変更することができる。
【００２０】
請求項４に係る発明によれば、膝上支持部と膝下支持部との間、或いは、その近傍には、該膝上支持部と膝下支持部との間を屈曲させて脚部をへの字形に曲げたとき、膝裏がへの字形の頂点部に相当するため積極的に当接させることができる。  
よって、屈曲自在部にマッサージ器、又は／及び、ヒータなどを具備することにより、該マッサージ器、或いは、ヒータの効果を発揮することができる。
【００２１】
さらに、膝上支持部と膝下支持部とを連設する連設部においては、屈曲自在部により形成しているため、ラチェット式機構付き回転部材が存在しないため、より内部の空間を確保し易い。よって、マッサージ器や、ヒータなどを埋設し易い。
【００２２】
請求項５に係る発明によれば、上記枕部を屈曲自在部を介しているため、上半身載上部における人を支持する側の面上に接地することができ、不使用時には、枕部を上半身載上部における背面側に退避させれば、邪魔になることもない。
【発明を実施するための最良の形態】
【００２３】
この発明の一実施形態を、以下図面を用いて説明する。
【実施例１】
【００２４】
図１は、本実施形態におけるリクライニング式座椅子１１の外観を示し、該リクライニング式座椅子１１が「座椅子型」の形態をしている状態を示す。  
上記リクライニング式座椅子１１は、図２に示したように、上半身支持部１２を下半身支持部１３に対して倒伏させてリクライニング式に構成している。  
なお、以下では、図２の形態において人が載上したとき、リクライニング式座椅子１１の長手方向における頭部側を頭部方向、脚部側を脚部方向とする。
【００２５】
リクライニング式座椅子１１は、以下に詳説する構造上、図３に示したように上記上半身支持部１２、及び、上記下半身支持部１３のそれぞれを、長さ方向において区分けすることができる。  
具体的に、上記上半身支持部１２においては、上記下半身支持部１３側から頭部方向に向けて主に腰部を支持する腰支持部１４、及び、主に頭部を支持する頭支持部１５に区分けすることができる。  
一方、上記下半身支持部１３においては、上記上半身支持部１２側から脚部方向に向けて主に臀部を支持する臀部支持部１６、主に大腿部などの膝上部を支持する膝上支持部１７、及び、主に脹脛などの膝下部を支持する膝下支持部１８に順に区分けすることができる。
【００２６】
上記リクライニング式座椅子１１を区分けした各部位、すなわち、膝下支持部１８、膝上支持部１７、臀部支持部１６、腰支持部１４、及び、頭支持部１５の長さ方向における長さ配分は、膝上支持部１７が最も短く、次に、腰支持部１４、さらに、膝下支持部１８、臀部支持部１６、及び、頭支持部１５の順に長く構成している。
【００２７】
好ましい一例として、上記リクライニング式座椅子１１を構成する各支持部の長さについては、大よそ以下のとおりである。  
上記膝下支持部１８は、使用者の膝下（足先から膝裏）部位に相当する長さに対応し、以下、同様に上記膝上支持部１７は、膝上部位（大腿部）に相当する長さ、上記臀部支持部１６は、臀部、或いは、臀部に大腿部、腰部も含めた部位に相当する長さ、上記腰支持部１４は、腰部、或いは、腰部から背部に相当する長さ、上記頭支持部１５は、背部から頭部、或いは、肩部から頭部に相当する長さに対応する。
【００２８】
また、上記リクライニング式座椅子１１を構成する各支持部の相対的な長さ配分は、膝上支持フレーム１７ａは、「マットレス型」の形態における上記リクライニング式座椅子１１の厚み（例えば、８０ｍｍから１００ｍｍ）の約１．５から２倍程度の長さで構成し、腰支持フレーム１４ａは、上記リクライニング式座椅子１１の厚みの約４倍程度（膝上支持フレーム１７ａの約２倍程度）の長さで構成している。さらに、膝下支持部１８、臀部支持部１６、及び、頭支持部１５については略同一の長さで構成し、これらはともに、腰支持部１４の約３倍程度の長さで構成している。
【００２９】
上記リクライニング式座椅子１１を「コンパクト型」の形態に折り畳んだとき、膝下支持部１８、臀部支持部１６、及び、頭支持部１５は、互いに略対接した状態に厚み方向に積載した形態となる。すなわち、腰支持部１４、及び、膝上支持部１７は、臀部支持部１６に対して略直立した形態となり、該腰支持部１４、及び、該膝上支持部１７がこのような形態のとき、膝下支持部１８は、その先端が腰支持部１４に略接触するまで上記頭支持部１５、及び、上記臀部支持部１６間に収納することができる。
【００３０】
なお、目安として上記リクライニング式座椅子１１は、「マットレス型」の形態のときにおける全長が、１９５０ｍｍであり、幅は、５５０ｍｍである。
【００３１】
続いて、上記リクライニング式座椅子１１の内部構成を中心に、以下、説明する。  
リクライニング式座椅子１１は、上半身支持部１２、及び、下半身支持部１３における内部に、それぞれ上半身フレーム１２ａ、下半身フレーム１３ａを具備し、該上半身フレーム１２ａ、及び、下半身フレーム１３ａは、スチール製パイプで構成され、上記リクライニング式座椅子１１の外郭形状を構成している。
【００３２】
さらに、リクライニング式座椅子１１には、上半身フレーム１２ａ、及び、下半身フレーム１３ａとともに、芯材として用いるべくチップウレタン２２を内在している。そして、上記チップウレタン２２の外周側には、柔軟なウレタンフォーム２３により囲繞してリクライニング式座椅子１１本体を構成している（図示せず）。さらに、リクライニング式座椅子１１は、リクライニング式座椅子本体に対してポリエステル製の袋状に構成したカバー部材２５（張り地）を被覆して構成している。
【００３３】
上記リクライニング式座椅子１１は、上記上半身フレーム１２ａと下半身フレーム１３ａとにおける長手方向の両端部における所定の対向端部を、ラチェット機構付き回動部材２０ａを介して枢着することにより、リクライニング可能に構成している。
【００３４】
また、上記上半身フレーム１２ａは、腰支持部１４に対応する腰支持フレーム１４ａ、及び、頭支持部１５に対応する頭支持フレーム１５ａを、ラチェット式回動部材２０ｂを介して枢着することにより折畳み可能に連設して構成している。  
これに対して、上記下半身フレーム１３ａは、臀部支持部１６に対応する臀部支持フレーム１６ａ、膝上支持部１７に対応する膝上支持フレーム１７ａ、及び、膝下支持部１８に対応する膝下支持フレーム１８ａを具備している。
【００３５】
上記臀部支持フレーム１６ａと上記膝上支持フレーム１７ａとは、ラチェット機構付き回動部材２０ｃを介して枢着することにより折畳み可能に連設している。
【００３６】
なお、上記ラチェット式回動部材２０ａ，２０ｂ，２０ｃは、周知のラッチェット機構であり、回動可能範囲内で段階的に角度調節することができ、調節した角度に留めておくことができる。上記ラチェット式回動部材２０ａ，２０ｂ，２０ｃの回動可能範囲は、特に限定しないが、本実施例においては、９０度の回動範囲で角度調節することができる。
【００３７】
なお、上述した各フレーム間に上記ラチェット機構付き回動部材２０ａ，２０ｂ，２０ｃを介して枢着した部位、すなわち、上記上半身フレーム１２ａと下半身フレーム１３ａとを連設した連設部位２０ａ、腰支持フレーム１４ａと頭支持フレーム１５ａとを連設した連設部位２０ｂ、臀部支持フレーム１６ａと膝上支持フレーム１７ａとを連設した連設部位２０ｃをそれぞれ上半身角度調節部２６、頭部側角度調節部２７、脚部側角度調節部２８に設定する。
【００３８】
これに対して、上記膝上支持フレーム１７ａと上記膝下支持フレーム１８ａとは、屈曲自在部２９を介することにより連設し、該屈曲自在部２９により、互いに全く規制されることなく屈曲可能に構成している。
【００３９】
上記屈曲自在部２９は、屈曲自在な構成を採るのであれば、例えば、ヒンジ、ゴムなど、１つの構成に限定しない。  
本実施例においては、上記膝上支持フレーム１７ａと上記膝下支持フレーム１８ａとの連設部位をチップウレタン２２、或いは、ウレタンフォーム２３を具備している。
【００４０】
これにより、上記膝上支持フレーム１７ａと上記膝下支持フレーム１８ａとの連設部位を屈曲可能な柔軟性を具備して構成するとともに、該連設部位を屈曲させたとき、各フレームが互いに干渉しあわないよう、上記膝上支持フレーム１７ａと上記膝下支持フレーム１８ａとの相対位置が一定に保たれるよう構成している。
【００４１】
すなわち、図４に示したように、上記膝上支持部１７と上記膝下支持部１８との間に上記屈曲自在部を収納させることにより、上記膝下支持部１８は、リクライニング式座椅子１１における該膝下支持部１８以外の部位に対して１８０度以上の範囲で揺動自在となる。
【００４２】
リクライニング式座椅子１１は、上述した構成を採るが、上記リクライニング式座椅子１１は、上述した「座椅子型」の形態（上記図１参照）、或いは、「マットレス型」の形態（上記図２参照）に任意に変更することができるが、その他にも様々な構成で構成することができる。  
以下では、本実施例に係るリクライニング式座椅子１１が変更できる上述した形態とは異なる他の主要な形態を採り上げるとともに、その形態を基に、本実施例に係るリクライニング式座椅子１１が奏する作用、効果について説明する。
【００４３】
例えば、リクライニング式座椅子１１は、図５（ａ），（ｂ）に示したように、自身を折り畳んで収納可能な「コンパクト型」形態に変更することができる。  
具体的に、上記「コンパクト型」形態とは、リクライニング式座椅子１１が「マットレス型」形態をしている状態から臀部支持部１６に対して膝上支持部１７を時計回りに９０度回転させ、さらに、膝下支持部１８を膝上支持部１７に対して時計回りに９０度回転させて、膝下支持部１８が臀部支持部１６に対接する形態とする。続いて、臀部支持部１６に対して上半身支持部１２を反時計回りに９０度回転させ、さらに、腰支持部１４に対して頭支持部１５を反時計回りに９０度回転させて頭支持部１５が膝下支持部１８に対接する形態とする。
【００４４】
すなわち、臀部支持部１６、腰支持部１４、及び、頭支持部１５は、折り畳んだとき、側面視略「コ」の字形を構成し、該「コ」の字形に折り畳んだときに互いに対向する臀部支持部１６と頭支持部１５との間に有する空間に、膝上支持部１７、及び、膝下支持部１８は、膝下支持部１８が収納するよう折り畳まれた形態を採る。
【００４５】
さらに、上記「コンパクト型」形態に変更したとき、リクライニング式座椅子１１は、臀部支持部１６、膝下支持部１８、及び、頭支持部１５は、互いに略平行となり、腰支持部１４、及び、膝上支持部１７は、互いに略平行となる。
【００４６】
よって、リクライニング式座椅子１１は、各支持部どうしが互いに近接して内部に空間部が略存在しない形態にコンパクトに折り畳むことができる。
【００４７】
また、膝下支持部１８は、屈曲自在部２９を介して膝上支持部１７に対して連設されているため、通常であれば、リクライニング式座椅子１１を持ち上げたり、傾けたりすると、臀部支持部１６に対接した状態から不用意に揺動してしまう。  
しかし、上記「ローバックチェア型」形態において、頭部側角度調節部２７は、ラッチェット機構により構成しているため、調節後の角度に一定に保つことができ、さらに、「コンパクト型」形態においては、膝下支持部１８を頭支持部１５と臀部支持部１６との間に収納させた形態とすることができる。  
このため、頭支持部１５は、膝下支持部１８を不用意に揺動してしまわないよう規制することができる。
【００４８】
よって、例えば、上記リクライニング式座椅子１１を持ち運ぶ際や立て掛けた状態で収納する場合であっても、上記リクライニング式座椅子１１は、上記頭支持部１５部が不用意に揺動してしまうことがないため、扱い易い。
【００４９】
また、リクライニング式座椅子１１は、図６（ａ），（ｂ）に示したように、「前ズレ防止可能な座椅子型」の形態を構成することができる。
【００５０】
具体的に、上記「前ズレ防止可能な座椅子型」の形態は、上記「マットレス型」の形態から臀部支持部１６に対して上半身支持部１２を任意の角度に傾け、さらに、膝上支持部１７、及び、膝下支持部１８を、への字形に屈曲させた形態を採る。
【００５１】
膝上支持部１７、及び、膝下支持部１８を、への字形に屈曲させる場合、使用者は、リクライニング式座椅子１１に載上した状態で、膝上支持部１７、及び、膝下支持部１８に対して体重をかけないようにして、膝上支持部１７を把持しながら臀部支持部１６に対して任意の角度に傾斜させればよい。
【００５２】
このように、使用者が脚部側角度調節部２８の角度調節を行い、一旦、臀部支持部１６に対する膝上支持部１７の角度が設定されると、たとえ膝上支持部１７に負荷をかけても臀部支持部１６に対する膝上支持部１７の傾斜角度が変動することがない。一方、この状態において、膝下支持部１８は、上述したように屈曲自在部２９を介して膝上支持部１７に連設しているため、本来であれば、膝上支持部１７に対して揺動自在であるが、自重により膝下支持部１８における先端部（自由端部側）は、床面に接地された状態となるとともに、膝下支持部１８は、重力方向に規制されることになる。
【００５３】
このため、膝上支持部１７と膝下支持部１８とは、例えば、使用者が載上して負荷をかけても略への字形の形態を安定して維持することがきる。
【００５４】
よって、使用者がリクライニング式座椅子１１に載上しても、足先は、斜め下方を向いた状態で着座できるため、利用者は、負担のかからない姿勢を保つことができ、例えば、読書などしながら長時間、着座しても疲労し難い。
【００５５】
さらに、上述したように、使用者が着座したまま、膝上支持部１７を傾斜させるだけで、該膝上支持部１７が傾斜するに伴って、膝下支持部１８を、使用者の膝下部位を支持できる形態に受動的に屈曲させることができる。  
すなわち、使用者は、着座したまま容易に膝上支持部１７、及び、膝下支持部１８を、使用者にとって疲れ難い姿勢に対応したへの字形に屈曲した形態に変更することができる。
【００５６】
その他にも、リクライニング式座椅子１１は、図７（ａ），（ｂ）に示したように、「ローバックチェア型」の形態に変更することもできる。  
まず、「ローバックチェア型」の形態へは、まず、上記「マットレス型」の形態から膝上支持部１７を臀部支持部１６に対して時計回りに略９０度回転させ、さらに、膝下支持部１８を膝上支持部１７に対して時計回りに９０度回転させる。これにより、膝下支持部１８は、臀部支持部１６に対接した形態になる。さらに、上半身支持部１２を臀部支持部１６に対して略直立するよう反時計回りに９０度回動させればよい。
【００５７】
さらに、「ローバックチェア型」の形態においては、臀部支持部１６と膝下支持部１８とが略対接した状態となるため、厚手の座部を構成することになる。さらに、「ローバックチェア型」の形態においては、上半身支持部１２は、背凭れ部を構成することになる。
【００５８】
また、上記屈曲自在部２９は、上述したように１８０度以上の回動可能範囲を有するため（上記図４参照）、膝下支持部１８を臀部支持部１６に対して、ぴたりと対接するまで屈曲させた状態、或いは、膝下支持部１８に人が載上した状態にしても該屈曲自在部２９自体に負担がかかることがない。また、このように上記屈曲自在部２９は、屈曲自在であるため、リクライニング式座椅子１１の形態変更の際にも労力を伴うことがない。
【００５９】
しかも、屈曲自在部２９を設けることで、構成を簡素化することができるため、各形態の変更が容易になり、製造コスト、故障の原因などの低減なども図ることができる。
【実施例２】
【００６０】
次に、実施例２に係るリクライニング式座椅子３１について説明するが、上述した実施例１に係るリクライニング式座椅子１１の構成と同様の構成については、同一の符号を付して、その説明を省略する。
【００６１】
実施例２に係るリクライニング式座椅子３１における所定部位には、図８（ａ），（ｂ）に示したように、バイブレータ３２を具備し、マッサージ可能に構成している。
【００６２】
具体的に、上記バイブレータ３２は、下半身支持部１３に２つ、上半身支持部１２に５つ具備されている。  
上記下半身支持部１３に具備した２つのバイブレータ３２については、使用者がリクライニング式座椅子３１に倒伏したとき、膝裏に相当する部位に埋設している。すなわち、上記屈曲自在部２９、或いは、その近傍部位の幅方向における、載上した人（使用者）の左右両膝裏に対応する各部位に埋設されている。
【００６３】
これに対して、上半身支持部１２に具備した５つのバイブレータ３２のうちの４つは、上半身支持部１２における腰支持部１４における腰部に対応する部位、及び、頭支持部１５における頸部に対応する部位において、幅方向の中央部に対して左右両側部位にそれぞれ埋設している。そして、上記５つのバイブレータ３２のうち、残り１つは、頭支持部１５における上記腰支持部１４近傍側部位であって、幅方向の中央側に埋設している。
【００６４】
また、リクライニング式座椅子３１には、図示しないがリモコンを具備しており、使用者は、該リモコンにより上記バイブレータのＯＮ／ＯＦＦ操作、強弱調節などを行うことができる。
【００６５】
上記構成を採るリクライニング式座椅子３１を、「前ずれ防止可能な座椅子型」形態にすれば、バイブレータ３２を作動させると、特に効果的にマッサージを施すことができる。
【００６６】
なぜなら、膝上支持部１７、及び、膝下支持部１８がへの字形を構成するため、使用者の脚部の自重が作用したとき、への字形の頂点部となるバイブレータ３２の有する部位に集中的に荷重が作用することになるからである。  
つまり、使用者の膝裏に対して、バイブレータ３２を押し付ける力を充分、付与することができるためである。
【００６７】
このため、効果的にマッサージを施すことができるとともに、バイブレータ３２の強弱レベルが弱い状態であっても、膝上支持部１７、及び、膝下支持部１８とのなす角を変更することで、バイブレータ３２の押し付け力を調節することもできる。
【００６８】
さらに、屈曲自在部２９に相当する部位には、フレーム部材や、ラチェット機構付き回動部材が存在しないため、バイブレータ３２を埋設する上で妨げになるものがなく、膝裏に対応する適切な部位に埋設することができる。  
従って、実施例２に係るリクライニング式座椅子３１は、膝裏に対してダイレクトにマッサージを施すことができる。
【００６９】
一方、バイブレータ３２は、上述したように上記上半身支持部１２にも埋設しているため、腰部や頸部などに対してもマッサージを施すことができるが、その際もやはり、上記膝裏の場合と同様に、例えば、腰支持部１４に対して頭支持部１５を使用者の身体側に傾斜させれば、頸部に対しての押し付け力が向上するため、該頸部に対して効果的にマッサージを施すことができる。
【００７０】
このように、上半身支持部１２においても、やはり臀部支持部１６に対する腰支持部１４の傾斜角度、又は、腰支持部１４に対する頭支持部１５の傾斜角度を変更することにより、マッサージの強弱を任意に調節することができる。
【００７１】
また、実施例２では、マッサージ部材にバイブレータ３２を適用したが、勿論、バイブレータ３２に限定せず、例えば、もみ玉、ローラなど他のマッサージ部材を具備してもよい。
【００７２】
その他、マッサージ器に代えて、或いは、マッサージ器とともに、フィルムヒータなど他の付加的機能を具備してもよい。
【実施例３】
【００７３】
また、リクライニング式座椅子には、実施例３に係るリクライニング式座椅子４１のように上半身支持部１２における頭部側に対して着脱可能な枕部材４２を具備することもできる。
【００７４】
具体的に、上記枕部材４２は、図９（ａ），（ｂ）に示したように、帯状部材４３の長さ方向における一端側に縫着されている。さらに、頭支持部１５における背面側部位に一方の面ファスナ４４ａを縫着している。上記帯状部材４３の長さ方向における他端側には、上記一方の面ファスナに係合可能な他方の面ファスナ４４ｂを縫着している。
【００７５】
ちなみに、図９（ａ）中の４５は、リクライニング式座椅子本体４１の上述したカバー部材２５の開口部を示し、該開口部を通じてリクライニング式座椅子本体を出し入れすることができる。なお、上記開口部４５における縁部には、スライドファスナが縫着されている。
【００７６】
上記構成により、頭支持部１５の先端側には、枕部材４２が連設された状態となる。すなわち、頭支持部１５の背面側に帯状部材４３を介して存在する枕部材４２は、頭支持部１５における先端側から表面側に配すれば頭支持部１５における表面部位に出没させることができる。
【００７７】
これに対して枕部材４２が不要な場合は、上半身支持部１２における背面側に、帯状部材４３を介して垂下させておく（図９（ｂ）の仮想線参照）、或いは、上記一対の面ファスナ４４ａ，４４ｂの係合を解除して帯状部材４３ごと枕部材４２をリクライニング式座椅子４１から取り外してもよい。
【００７８】
このように、上記枕部材４２を上記上半身支持部１２に対して取り付け、或いは、取り外し可能に構成することにより、枕部材４２を取り外して、座椅子型の形態としたとき、取り外した枕部材をクッション部材として用いることや、枕部材４２のみ取り外して洗濯などをすることが可能となる。
【００７９】
さらに、実施例３に係る枕部材４２は、図１０（ａ），（ｂ）に示したように、上記リクライニング式座椅子４１を上述した「コンパクト型」の形態にした場合おいて、頭支持部１５と臀部支持部１６の間で、膝下支持部１８がガタつくことがないよう、該膝下支持部１８の抑え用の部材として機能させることもできる。
【００８０】
上記枕部材４２は、上半身支持部１２における背面側に対する連設は、一対の面ファスナ４４ａ，４４ｂを具備する構成に限定せず、スナップ、フォックなどを用いて構成してもよい。さらに、上半身支持部１２における背面側に対して帯状部材４３を直接、縫着することにより一体に形成してもよい。
【００８１】
また、上述の実施形態と、この発明の構成との対応において、この実施形態の上半身角度調節部２６、頭部側角度調節部２７、及び、脚部側角度調節部２８は、本発明の角度調節部に対応し、
バイブレータ３２は、マッサージ部材に対応し、
屈曲自在部２９、帯状部材４３は、屈曲自在部に対応するも、
この発明は、上述の実施形態の構成のみに限定されるものではなく、上述したように多くの実施の形態を得ることができる。
【図面の簡単な説明】
【００８２】
【図１】「座椅子型」形態をしている実施例１に係るリクライニング式座椅子の外観図。
【図２】「マットレス型」形態をしている実施例１に係るリクライニング式座椅子を示す外観図。
【図３】実施例１に係るリクライニング式座椅子を平面視した状態における内部構成を示す断面図。
【図４】実施例１に係るリクライニング式座椅子の内部構成を示す縦断面図。
【図５】「コンパクト型」形態をしている実施例１に係るリクライニング式座椅子を示す外観図（ａ）、断面図（ｂ）。
【図６】「前ズレ防止可能な座椅子型」形態をしている実施例１に係るリクライニング式座椅子を示す外観図（ａ）、断面図（ｂ）。
【図７】「ローバックチェア型」形態をしている実施例１に係るリクライニング式座椅子を示す外観図（ａ）、断面図（ｂ）。
【図８】バイブレータを配置した部位を示す実施例２に係るリクライニング式座椅子の外観図（ａ）、断面図（ｂ）。
【図９】実施例３に係るリクライニング式座椅子における頭支持部を拡大して示した背面図（ａ）、断面図（ｂ）。
【図１０】実施例３に係るリクライニング式座椅子を示す外観図（ａ）、断面図（ｂ）。
【図１１】従来のリクライニング式座椅子を示す外観図（ａ）、従来のリクライニング式座椅子を折り畳んだ形態を示す断面図（ｂ）。
【符号の説明】
【００８３】
１１，３１，４１…リクライニング式座椅子
１２…上半身支持部
１３…下半身支持部
１４…腰支持部
１５…頭支持部
１６…臀部支持部
１７…膝上支持部
１８…膝下支持部
２６…上半身角度調節部
２７…頭部側度調節部
２８…脚部側角度調節部
２９…屈曲自在部
３２…バイブレータ
４２…枕部材
４３…帯状部材
４４ａ，４４ｂ…面ファスナ
【図１】
2006340876.tif 000003
【図２】
2006340876.tif 000004
【図３】
2006340876.tif 000005
【図４】
2006340876.tif 000006
【図５】
2006340876.tif 000007
【図６】
2006340876.tif 000008
【図７】
2006340876.tif 000009
【図８】
2006340876.tif 000010
【図９】
2006340876.tif 000011
【図１０】
2006340876.tif 000012
【図１１】
2006340876.tif 000013